(57)【要約】      （修正有）【課題】使用者の足の幅に適合が可能で、幅調整手段が従来よりも安定な構造を備えた、外反母趾、内反小趾の圧迫痛を防ぐ機能を有するスリッパを提供する。【解決手段】つま先の部分を覆うつま先覆い部２と、つま先覆い部と一定の距離を有する位置に設けられてなる甲を覆う甲部を備え、つま先覆い部と前記甲部の間の開放空間に足指の付け根部分が配される構成を備えたスリッパの甲部を、幅方向のほぼ中央部で、それぞれが紐６を挿通するための複数の貫通孔５を備えた第一の甲部３ａと第二の甲部３ｂに分割し、第一の甲部と第二の甲部との表面には、前記貫通孔を介して第一の甲部と第二の甲部を接合する紐の、両端部を係止するための、係止手段７ａ，７ｂを設ける。【選択図】図１
2020014818.tif 000002
【特許請求の範囲】
【請求項１】
つま先の部分を覆うつま先覆い部と、前記つま先覆い部と一定の距離を有する位置に設けられてなる甲を覆う甲部を備え、前記つま先覆い部と前記甲部の間の開放空間に足指の付け根部分が配される構成を備えたスリッパであって、前記甲部は幅方向のほぼ中央で、それぞれが紐を挿通するための複数の貫通孔を備えた第一の甲部と第二の甲部に分割され、前記第一の甲部と前記第二の甲部との表面には、前記貫通孔を介して前記第一の甲部と前記第二の甲部を接合する紐の、両端部を係止するための、係止手段が設けられてなることを特徴とするスリッパ。
【請求項２】
前記係止手段は、伸縮性を備えた紐状または帯状の部材を環状に構成したものであることを特徴とする、請求項１に記載のスリッパ。
【発明の詳細な説明】
【技術分野】
【０００１】  本発明は、スリッパに関し、特に外反母趾、内反小趾への対策手段を具備したスリッパに関わるものである。
【背景技術】
【０００２】  外反母趾、内反小趾になりやすい足は一般的に足指が長い、あるいは親指より人差し指が長い。また足幅が広く、筋力が弱まり筋肉量が少なくなった時にも、外反母趾、内反小趾が生じる。【０００３】  外反母趾、内反小趾を生じる原因として、足の長さより短い履物を履き続ける、あるいは５本の指を締め付ける行為、また足よりも幅が狭い履物（外靴、サンダル、室内スリッパ、室内サンダルなど）を履き続けることが挙げられる。つまり、足の大きさに適合しない履物を履き続けることで外反母趾、内反小趾になりやすい。【０００４】  スリッパにおいても、従来のスリッパで起こりがちな問題点として、スリッパの先端が狭く５本の指が締め付けられ、圧迫されるために起こる圧迫痛がある。具体的には、親指と小指の付け根部分が圧迫され痛みが起こる。このためますます外反母趾、内反小趾を進行させることがある。【０００５】  また、足をつま先から挿入する開口部が広いため、フィット感がないので不安定で重たく感じ、疲れやすい。そして足を持ち上げて歩くことをせず、摺り歩きの癖がつきやすい。その結果、摺り歩きが習慣となったまま、年齢を重ねるに伴って、少しの段差でも躓きやすくなる。特に階段の昇降の際は、不安定で危険を感じることもある。【０００６】  このような問題に対し、外反母趾対策グッズが、種々市販されているが、これらは着脱に手間がかかり、装着時の歩行は困難なことが多く、装着時の歩行は、骨が変形している場合、骨に負担がかかり、痛みを感じることがあるので、長時間使用は危険と思われる。【０００７】  また、外反母趾、内反小趾になっている人が、足に合わない履物を履き続けることで関節痛、頭痛、腰痛を起こしやすくなる。その結果長時間歩行が困難になり健康な生活の妨げになる。これに対処するための履物として、特許文献１には、親指と小指の外側を、甲の部分に設けた窓穴から出す構造を具備したスリッパが開示されている。これは、サンダルとスリッパを重ね合わせて履くことで指の締め付けがなく、２本の指を窓穴からだすということであるが、サンダルとスリッパを重ね履きすることで重く、履き心地が悪くなり歩きにくいものと思われる。【０００８】  また、本発明者は、特許文献２に、先端の部分をなす曲線の形状の適正化と、甲の部分に、足の親指と小指の付け根が当接しないように切欠を設けたスリッパを開示していて、使用者の足の幅に合わせて、スリッパの甲の幅の調整手段も開示している。しかし、ここに一例として開示されている調整手段は、マジックテープ（登録商標）を用いるもので、接合面の垂直な方向に接合手段を剥離する力が加わると、分離する可能性があるという観点で改善の余地がある。
【特許文献１】特開２００４−１０６４４２号公報
【特許文献２】特許第４９２５０２１号
【発明の概要】
【発明が解決しようとする課題】
【０００９】  従って、本発明の課題は、使用者の足の幅に適合が可能で、幅調整手段が従来よりも安定な構造を備えた、外反母趾、内反小趾の圧迫痛を防ぐ機能を有するスリッパを提供することである。【００１０】  本発明は、甲の幅を調整するための靴紐を備えた靴の構成を、スリッパに適合させることを鋭意検討した結果、なされたものである。【００１１】  本発明は、つま先の部分を覆うつま先覆い部と、前記つま先覆い部と一定の距離を有する位置に設けられてなる甲を覆う甲部を備え、前記つま先覆い部と前記甲部の間の開放空間に足指の付け根部分が配される構成を備えたスリッパであって、前記甲部は幅方向のほぼ中央で、それぞれが紐を挿通するための複数の貫通孔を備えた第一の甲部と第二の甲部に分割され、前記第一の甲部と前記第二の甲部との表面には、前記貫通孔を介して前記第一の甲部と前記第二の甲部を接合する紐の、両端部を係止するための、係止手段が設けられてなることを特徴とするスリッパである。【００１２】  また、本発明は、前記係止手段が、伸縮性を備えた紐状または帯状の部材を環状に構成したものであることを特徴とする、前記のスリッパである。
【発明の効果】
【００１３】  本発明に係るスリッパは、つま先覆い部と、甲部が一定の距離を保持した状態で設けられ、外反母趾や内反小趾の骨が外側に張り出した部分がスリッパに接触せず、しかも甲の部分幅が使用者の足の幅に適合させることが可能である。このため、外反母趾や内反小趾の圧迫痛がなく、甲の部分が足にフィットするので、歩行時の安定感が増し、摺り歩きを解消できる。【００１４】  また、本発明に係るスリッパにおいては、甲の部分を足に適合させるための靴紐の余長の部分を係止手段で固定できるので、紐の余長が床に垂れ下がることによる、使用者の躓きなどの危険を、実質的に解消できる。通常、スリッパの方が、甲部の高さが靴よりも低いので、このような構造はスリッパの安全性確保に重要である。
【図面の簡単な説明】
【００１５】
【図１】  本発明に係るスリッパの一例を示す図。
【図２】  本発明に係るスリッパにおけるの紐の端部の係止状態の一例を示す図。
【図３】  本発明に係るスリッパに従来の甲部係合手段を適用した一例を示す図。
【発明を実施するための形態】
【００１６】  次に具体的な図面を参照しながら、本発明のスリッパについて説明する。
【００１７】  図１は、本発明に係るスリッパの一例を示す図である。ここに示した例においては、スリッパ１の図における上の方の端部に、つま先覆い部２が設けられ、一定の距離を隔てた位置に、第一の甲部３ａと第二の甲部３ｂが設けられている。このため、足の指の付け根の部分は、つま先覆い部２と、第一の甲部３ａ及び第二の甲部３ｂとの間に形成された開放部に配されるので、外反母趾や内反小趾の圧迫痛が解消される。
【００１８】  第一の甲部３ａと第二の甲部３ｂのそれぞれには、貫通孔５が３箇所設けられ、貫通孔に紐６を挿通することで、一対の甲部の幅を調整可能な状態で一体化できる。それそぞれの貫通孔５は、ハトメで補強することが可能で、紐６には、市販の靴紐を用いることができる。
【００１９】  図２は、本発明に係るスリッパにおけるの紐の端部の係止状態の一例を示す図である。本発明のスリッパに係る紐の係止手段は、ゴム紐のような伸縮性を備えた紐状または帯状の部材を環状に構成して、それぞれの甲部に接合してあるので、紐６の余長部の先端をストレートに挿通することが可能で、この図に示したように、先端に近くを屈曲させて挿通することも可能である。従って、紐６の余長部が床に垂れ下がるのを防止し、紐踏みつけることなどで生じる危険を未然に防ぐことができる。
【００２０】  図３は、本発明に係る、スリッパに従来の甲部係合手段を適用した一例を示す図である。本発明者が特許文献２に開示したスリッパにおいては、この図に示したように、スリッパ７の上の方の端部に、つま先覆い部８が設けられ、一定の距離を隔てた位置に、第一の甲部９ａと第二の甲部９ｂが設けられている。
【００２１】  そして、第一の甲部９ａと第二の甲部９ｂは、マジックテープ（登録商標）などの接合手段１０で一体化される。しかし、このような接合手段は、前記のように、接合面に対して垂直な力が加わることで、分離することがある。また、本発明のように紐を用いて甲部を一体化することにより得られる、ファッション性の向上は、本発明の副次的な効果であり、外反母趾や外反小趾の対策品の普及に資するものである。
【００２２】  以上に説明したように、本発明によれば、外反母趾や外反小趾の圧迫痛を解消でき、安定した履き心地が得られるスリッパを提供できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２３】１，７・・・スリッパ      ２，８・・・つま先覆い部
３ａ，９ａ・・・第一の甲部      ３ｂ，９ｂ・・・第二の甲部
４，１１・・・スリッパの底      ５・・・貫通孔
６・・・紐      ６ａ・・・第一の紐先端部      ６ｂ・・・第二の紐先端部
７・・・係止手段
７ａ・・・第一の係止手段      ７ｂ・・・第二の係止手段
１０・・・係合手段
【図１】
2020014818.tif 000003
【図２】
2020014818.tif 000004
【図３】
2020014818.tif 000005